(57)【要約】【課題】吸着板の設備負担を軽減でき、吸着板の交換作業を省略することができるようにすること。【解決手段】シート貼付装置１０は、剥離シートＲＬに接着シートＳが仮着された原反Ｒを繰り出す繰出手段１１と、この繰出手段１１で繰り出される接着シートＳを吸着保持するための複数の吸引口３１を有する保持手段１２と、この保持手段１２で保持した接着シートＳを被着体Ｗに押圧して貼付する押圧手段１３と、保持手段１２で保持された接着シートＳを検知可能なシート検知手段１５と、被着体Ｗを検知可能な被着体検知手段１６とを備えて構成されている。吸引口３１には、シート検知手段１５及び被着体検知手段１６が装着可能に設けられている。【選択図】図２
2013001436.tif 000002
【特許請求の範囲】
【請求項１】
基材シートの一方の面に接着剤層を有する接着シートを繰り出す繰出手段と、この繰出手段により繰り出された接着シートを基材シート側から吸着保持するための複数の吸引口を有する保持手段と、この保持手段で保持した接着シートを被着体に押圧して貼付する押圧手段と、前記保持手段で保持された接着シートを検知対象物として検知可能なシート検知手段及び前記被着体を検知対象物として検知可能な被着体検知手段の少なくとも一方とを備え、
前記シート検知手段及び前記被着体検知手段の少なくとも一方は、前記吸引口から前記検知対象物を検知可能に設けられていることを特徴とするシート貼付装置。
【請求項２】
前記保持手段に吸着保持された接着シートの位置ずれを検知するシート保持不良検知手段を備え、当該シート保持不良検知手段が前記吸引口に装着可能に設けられていることを特徴とする請求項１記載のシート貼付装置。
【請求項３】
前記シート検知手段及び前記被着体検知手段の少なくとも一方を支持可能に設けられるとともに、前記吸引口に取り付け可能に設けられた支持手段を備えていることを特徴とする請求項１又は２記載のシート貼付装置。
【請求項４】
基材シートの一方の面に接着剤層を有する接着シートを繰り出す繰出工程と、
繰り出された前記接着シートを複数の吸引口を介して基材シート側から吸着保持する吸着保持工程と、
保持した前記接着シートを被着体に押圧して貼付する押圧工程とを備えたシート貼付法方法であって、
前記吸着保持工程において、前記吸引口から前記接着シートを検知することで当該接着シートの吸着保持確認を行う保持確認工程を行うことを特徴とするシート貼付方法。
【請求項５】
基材シートの一方の面に接着剤層を有する接着シートを繰り出す繰出工程と、
繰り出された前記接着シートを複数の吸引口を介して基材シート側から吸着保持する吸着保持工程と、
保持した前記接着シートを被着体に押圧して貼付する押圧工程とを備えたシート貼付法方法であって、
前記各工程の何れか１の工程の前に、前記吸引口から前記被着体を検知することで当該被着体を所定の位置に停止させる被着体停止工程を行うことを特徴とするシート貼付方法。
【発明の詳細な説明】
【技術分野】
【０００１】
本発明は、シート貼付装置及び貼付方法に係り、更に詳しくは、接着シートを吸着保持してから被着体に貼付することができるシート貼付装置及び貼付方法に関する。
【背景技術】
【０００２】
従来より、被着体にラベル等の接着シートを貼付するシート貼付装置が広く利用されるに至っており、かかるシート貼付装置としては、例えば、特許文献１に開示されている。特許文献１のシート貼付装置は、接着シートを繰り出す繰出手段と、接着シートを吸着保持する吸着板を含む保持手段と、接着シートが吸着板の所定位置にセットされたことを検知する検知手段とを備え、当該検知手段が接着シート検知すると、保持手段が接着シートを貼付するよう駆動可能となっている。
【先行技術文献】
【特許文献】
【０００３】
【特許文献１】特開２００５−８２２７号公報
【発明の概要】
【発明が解決しようとする課題】
【０００４】
しかしながら、特許文献１にあっては、保持手段において吸着板と検知手段との相対位置が固定された状態となる。このため、大きさや形状が異なる複数種類の接着シートが採用される場合、それぞれの接着シートを検知し得るように、吸着板も複数用意しなければならず、設備の負担が強いられる、という不都合を生じる。また、接着シートの種類を変更する度に、吸着板全体を交換する煩雑な作業が強いられる、という不都合も招来する。
【０００５】
［発明の目的］
本発明の目的は、接着シートの種類に応じて複数の吸着板を用意することを抑制し、その煩雑な交換作業を必要としないシート貼付装置及び貼付方法を提供することにある。
また、本発明の他の目的は、被着体における接着シートの貼付位置の自由度を高めることができるシート貼付装置及び貼付方法を提供することにある。
【課題を解決するための手段】
【０００６】
前記目的を達成するため、本発明は、基材シートの一方の面に接着剤層を有する接着シートを繰り出す繰出手段と、この繰出手段により繰り出された接着シートを基材シート側から吸着保持するための複数の吸引口を有する保持手段と、この保持手段で保持した接着シートを被着体に押圧して貼付する押圧手段と、前記保持手段で保持された接着シートを検知対象物として検知可能なシート検知手段及び前記被着体を検知対象物として検知可能な被着体検知手段の少なくとも一方とを備え、
前記シート検知手段及び前記被着体検知手段の少なくとも一方は、前記吸引口から前記検知対象物を検知可能に設けられる、という構成を採っている。
【０００７】
本発明において、前記保持手段に吸着保持された接着シートの位置ずれを検知するシート保持不良検知手段を備え、当該シート保持不良検知手段が前記吸引口に装着可能に設けられる、という構成を採ることが好ましい。
【０００８】
また、前記シート検知手段及び前記被着体検知手段の少なくとも一方を支持可能に設けられるとともに、前記吸引口に取り付け可能に設けられた支持手段を備える、という構成も好ましくは採用される。
【０００９】
また、本発明のシート貼付方法は、基材シートの一方の面に接着剤層を有する接着シートを繰り出す繰出工程と、
繰り出された前記接着シートを複数の吸引口を介して基材シート側から吸着保持する吸着保持工程と、
保持した前記接着シートを被着体に押圧して貼付する押圧工程とを備えたシート貼付法方法であって、
前記吸着保持工程において、前記吸引口から前記接着シートを検知することで当該接着シートの吸着保持確認を行う保持確認工程を行う、という方法を採っている。
【００１０】
また、本発明のシート貼付方法は、基材シートの一方の面に接着剤層を有する接着シートを繰り出す繰出工程と、
繰り出された前記接着シートを複数の吸引口を介して基材シート側から吸着保持する吸着保持工程と、
保持した前記接着シートを被着体に押圧して貼付する押圧工程とを備えたシート貼付法方法であって、
前記各工程の何れか１の工程の前に、前記吸引口から前記被着体を検知することで当該被着体を所定の位置に停止させる被着体停止工程を行う、という方法を採っている。
【発明の効果】
【００１１】
本発明によれば、シート検知手段が吸引口から接着シートを検知可能としたので、接着シートの種類が変更になっても、当該接着シートの大きさや形状に応じてシート検知手段を配置する吸引口を替えるだけで対応が可能となる。これにより、従来のように、接着シートの種類毎に複数の吸着板を用意しなくてもよくなり、設備的な負担を軽減でき、且つ、吸着板を交換する作業を省略することが可能となる。また、被着体検知手段が吸引口から被着体を検知可能とした場合には、複数の吸引口のうち、不使用の任意の吸引口から被着体を検知可能となる。これにより、保持手段で吸着保持した接着シートの外縁の近傍に被着体検知手段を配置でき、例えば、被着体の被着面の大きさと接着シートの大きさとに殆ど差がないような場合にでも、被着体検知手段が保持手段で吸着保持された接着シートの直下位置で被着体を検知して停止させることができ、接着シートを貼付する位置の自由度を向上させることができる。
【００１２】
また、吸着保持された接着シートの位置ずれを検知するシート保持不良検知手段を有する場合、接着シートがずれたり皺が生じたりした状態で貼付されることを防止することができる。しかも、シート検知手段や被着体検知手段を利用してシート保持不良検知手段を構成することもでき、検知手段を構成するセンサ等の設置数を少なくすることができ、制御や構成の簡略化を図ることが可能となる。
【図面の簡単な説明】
【００１３】
【図１】実施形態に係るシート貼付装置の概略正面図。
【図２】図１のＡ矢視図。
【図３】（Ａ）は、図２のＢ矢視断面図、（Ｂ）は、図２のＤ矢視断面図。
【図４】変形例に係る支持手段を示す図３（Ｂ）と同様の図。
【発明を実施するための形態】
【００１４】
以下、本発明の実施の形態について図面を参照しながら説明する。
なお、本実施形態において、特に明示しない限り、方向を示す用語（例えば、上、下、左、右）は、図１を基準とする。
【００１５】
図１〜図３において、シート貼付装置１０は、被着体Ｗを左方向に搬送するベルトコンベア等からなる搬送手段ＣＶに並設されている。シート貼付装置１０は、被着体Ｗに貼付するための接着シートＳを繰り出す繰出手段１１と、この繰出手段１１から繰り出される接着シートＳを吸着保持可能な保持手段１２と、この保持手段１２で保持した接着シートＳを被着体Ｗに押圧して貼付する押圧手段１３と、保持手段１２に設けられたセンサ等からなるシート検知手段１５及び被着体検知手段１６と、これら検知手段１５、１６を支持可能に設けられた支持手段１８とを備えて構成されている。接着シートＳは、基材シートＢＳと、この基材シートＢＳの一方の面に設けられた接着剤層ＡＤとを備え、この接着剤層ＡＤを介して剥離シートＲＬに仮着されている。
【００１６】
前記繰出手段１１は、帯状の剥離シートＲＬに接着シートＳが所定間隔を隔てて仮着されたロール状の原反Ｒを支持する支持軸２１と、この支持軸２１から繰り出された原反Ｒの剥離シートＲＬを折り返して当該剥離シートＲＬから接着シートＳを剥離する剥離板２２と、剥離板２２を経た後の剥離シートＲＬを挟み込む駆動ローラ２４及びピンチローラ２５と、これらを通過した後の剥離シートＲＬを図示しない駆動機器によって所定のトルクで巻き取る巻取軸２６とを備えている。駆動ローラ２４は、駆動機器としての回動モータＭを介して回転可能に設けられている。
【００１７】
前記保持手段１２は、底壁２９Ａ、側壁２９Ｂ及び上壁２９Ｃを含んで内部にチャンバ３０を形成するヘッド部２９と、底壁２９Ａを貫通するとともに、図２中左右及び上下方向に所定間隔を隔てて複数形成された吸引口３１とを備えている。ヘッド部２９の底壁２９Ａは、その下面が吸着面２９Ｄとされる一方、側壁２９Ｂに対して着脱又は開閉可能に構成され、取外し又は開いた状態でシート検知手段１５及び被着体検知手段１６の着脱を行えるようになっている。
【００１８】
前記チャンバ３０は、減圧管３２を介して図示しない減圧ポンプや真空エジェクタ等の減圧手段に接続され、この減圧手段に連通されることで吸引口３１から吸気し、吸着面２９Ｄに接する接着シートＳを基材シートＢＳ側から吸着保持可能に設けられている。
【００１９】
前記吸引口３１は、底壁２９Ａに雌ねじ加工を施すことにより形成され、市販の六角穴付止めねじ等の塞ぎ手段３３（図３参照）が着脱自在になっている。塞ぎ手段３３は、吸引口３１と螺合して当該吸引口３１を閉塞可能に設けられる一方、吸引口３１から取り外すことで、吸引口３１を開放可能に設けられ、各吸引口３１を個別に独立して閉塞可能となっている。なお、図２に示される最も左側の吸引口３１は、上下に各２箇所ずつ形成され、本実施形態の保持手段１２で保持しうる最大サイズの接着シートＳ１を保持したときに、各検知手段１５、１６を装着可能とすべく形成したものである。
【００２０】
前記押圧手段１３は、上壁２９Ｃの上面に連結されて保持手段１２を上下動可能な駆動機器としてのエアシリンダ３５と、チャンバ３０に接続された加圧管３６とを備えている。押圧手段１３は、加圧管３６を介してチャンバ３０に図示しない加圧ポンプや加圧タンク等の加圧手段が連通されることで、吸引口３１から気体を噴出可能とし、吸着面２９Ｄで吸着保持される接着シートＳを吹き飛ばして当該接着シートＳを被着体Ｗに押圧して貼付可能となっている。なお、エアシリンダ３５はヘッド部２９を所定の位置で停止させることのできる中間停止可能なもので構成するとよい。
【００２１】
前記シート検知手段１５及び被着体検知手段１６は、保持する接着シートＳの繰り出し方向下流端側すなわち左端側における図２中上下の各コーナーＣ近傍にそれぞれ設けられている。シート検知手段１５及び被着体検知手段１６は、支持手段１８に支持されてそれぞれ別々の吸引口３１に部分的に挿入され、支持手段１８は、それらとはまた別の吸引孔３１に装着されている。なお、シート検知手段１５は、検知対象物としての接着シートＳを検知できる範囲において、吸着面２９Ｄで保持される接着シートＳの面内であればどこに設置されてもよく、本実施形態の場合、吸着面２９Ｄで保持された接着シートＳのコーナーＣに最も近い吸引口３１とされる。また、被着体検知手段１６は、検知対象物としての被着体Ｗを検知できる範囲において、吸着面２９Ｄで保持される接着シートＳの面外であればどこに配置されてもよく、本実施形態の場合、シート検知手段１５の設置される吸引口３１の左隣りの吸引口３１とされる。これにより、シート検知手段１５及び被着体検知手段１６は、吸引口３１から検知対象物を検知可能に設けられ、シート検知手段１５の検知によって接着シートＳの保持確認を行うことができ、被着体検知手段１６の検知によってヘッド部２９の下降許可を判断することができるようになっている。
【００２２】
前記支持手段１８は、平面視Ｌ字状の支持体３８と、雄ねじ加工が施された六角穴付ボルト等の止めボルト３９と、支持体３８と底壁２９Ａの上面との間に設けられた樹脂、ゴム等の弾性部材からなるシール材４０とを備え、チャンバ３０内における底壁２９Ａ上に取り付けられる。止めボルト３９は、被着体検知手段１６が設置される吸引口３１の隣の吸引口３１に螺合しており、これにより、吸引孔３１に支持手段１８が着脱自在に取り付け可能となっている。シール材４０は、止めボルト３９が螺合する吸引口３１と、被着体検知手段１６が挿入される吸引口３１とに跨って配置され、これらの吸引口３１をチャンバ３３側から閉塞可能に設けられている。なお、シート検知手段１５が挿入される吸引口３１は、シール材４０で閉塞されていないので、開放した他の吸引口３１と同様に吸排気が可能となっている。
【００２３】
次いで、本実施形態に係る接着シートＳの貼付方法について説明する。
【００２４】
初めに、接着シートＳの形状と、繰出手段１１から吸着面２９Ｄに繰り出される接着シートＳの繰り出し位置とを確認する。次いで、底壁２９Ｂを側壁２９Ｃから取外し又は開き、各検知手段１５、１６が前述した位置の吸引口３１に挿入されるように、シール材４０及び各検知手段１５、１６を支持する支持体３８を配置してから、スクリュードライバや六角レンチ等の工具を用いて止めボルト３９を吸引口３１に螺合する。各検知手段１５、１６の装着後、繰り出し位置に配置された接着シートＳの外側に位置する全ての吸引口３１に塞ぎ手段３３を装着して閉塞状態とした後、底壁２９Ｂを側壁２９Ｃに取付け又は閉じる。なお、接着シートＳの形状や大きさによっては、シート検知手段１５が接着シートＳの面内、被着体検知手段１６が接着シートＳの面外にちょうど収まらない場合があるが、そのようなときは、底壁２９Ａに新たな雌ねじ加工を施し、シート検知手段１５が接着シートＳの面内、被着体検知手段１６が接着シートＳの面外に配置されるようにしてもよい。
【００２５】
被着体Ｗが搬送手段ＣＶによって搬送され、ヘッド部２９の下方所定位置に達すると、吸引口３１から被着体検知手段１６により被着体Ｗが検知され、図示しないストッパにより搬送が停止される（被着体停止工程）。次に、回動モータＭを作動して原反Ｒを接着シートＳの１ピッチ分繰り出し、剥離板２２により剥離シートＲＬから接着シートＳが剥離される。これにより、剥離板２２の先端側で待機するヘッド部２９側に接着シートＳが繰り出される（繰出工程）。次いで、ヘッド部２９側に繰り出された接着シートＳは、減圧管３２を介して減圧手段に連通された吸引口３１によって基材シートＢＳ側から吸着面２９Ｄに吸着保持される。なお、接着シートＳがシート検知手段１５によって検知された時点や、検知されてから所定時間経過した時点で回動モータＭの作動を停止するように制御してもよい（吸着保持工程）。この吸着保持工程において、繰り出された接着シートＳは吸引口３１からシート検知手段１５によって検知され、当該接着シートＳの吸着保持確認が行われ、次の工程に進むことが許可される（保持確認工程）。ここで、繰出工程後、所定時間経過しても接着シートＳの吸着保持確認がなされない場合、例えば、シート貼付装置１０を作動停止させたり、警報やライトを作動させてオペレータに異常を知らせたりするように制御することができる。
【００２６】
シート検知手段１５により接着シートＳが検知されると、エアシリンダ３５の作動により、被着体Ｗと吸着面２９Ｄとの間隔が所定間隔（例えば、被着体Ｗの上面から吸着面２９Ｄまでの距離が１０ｍｍ）となるようにヘッド部２９を下降させる。その後、減圧手段への連通を遮断すると同時に、加圧管３６を介して吸引口３１を加圧手段に連通する。これにより、開放した吸引口３１から気体が噴出され、この噴出によって接着シートＳが吹き飛ばされ、当該接着シートＳが被着体Ｗに押圧されて貼付される（押圧工程）。なお、保持手段１２を下降させて被着体Ｗの上面から吸着面２９Ｄまでの距離を所定間隔で停止させるために、図示しないセンサ等の距離検知手段を設け、吸引口３１から検知対象物としての被着体Ｗの上面を検知可能に構成してもよい。この場合、距離検知手段は、被着体Ｗの上面を検知できる範囲において、吸着面２９Ｄで保持される接着シートＳの面外であればどこに配置されてもよい。
【００２７】
従って、このような実施形態によれば、吸引口３１を利用して各検知手段１５、１６を装着可能としたので、吸引口３１の形成箇所に応じて各検知手段１５、１６の設置位置を変更することができる。当該設置位置の変更により、貼付する接着シートＳの種類の変更に難なく対応可能となり、ヘッド部２９全体を交換するような作業や設備負担をなくすことができる。また、多数の吸引口３１の殆どを利用して各検知手段１５、１６が装着可能となるので、種々のサイズや形状の接着シートＳに対応し得る汎用性を付与可能となる。
【００２８】
更に、被着体検知手段１６が接着シートＳの左端のごく近い位置に配置されるので、被着体Ｗの左端を検知したタイミングで被着体Ｗの搬送を停止した場合、被着体Ｗと接着シートＳの各左端を近付けて貼付を行えるようになる。一方、被着体検知手段１６が接着シートＳの左端を検知したタイミングから所定時間経過してから搬送を停止するよう制御することで、被着体Ｗと接着シートＳの各左端を離すこともできる。つまり、被着体Ｗの左右方向における貼付位置の制約を緩和でき、当該貼付位置の選択の自由度を向上することが可能となる。
【００２９】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、前記支持手段１８は、種々の設計変更が可能であり、支持体３８の平面形状を直線状としたり、図４に示される構成に代替したりしてもよい。図４において、支持手段１８は、シート検知手段１５及び被着体検知手段１６の各外周面にそれぞれ設けられた雄ねじ部４２と、この雄ねじ部４２に螺合するナット部材４３とを備えている。雄ねじ部４２は、吸引口３１に螺合可能と設けられ、これにより、各検知手段１５、１６が任意の吸引口３１に取り付け可能となる。なお、雄ねじ部４２は、各検知手段１５、１６の外周面に直接雄ねじ加工を施すことにより形成できる他、市販のねじ部材を利用し、当該ねじ部材の軸方向に孔を形成して当該孔に検知手段１５、１６を挿入してもよい。
【００３１】
また、前記シート検知手段１５及び被着体検知手段１６は、吸引口３１に挿入することなく、吸引口３１の上方に配置して接着シートＳや被着体Ｗの検知を行えるようにしてもよい。
【００３２】
更に、シート検知手段１５及び被着体検知手段１６の一方を省略してもよい。
【００３３】
また、止めボルト３９や塞ぎ手段３３は、六角ボルト、なべねじ、トラスねじ等の他のねじ部材に変更してもよい。
【００３４】
更に、シート検知手段１５及び被着体検知手段１６の少なくとも一方において、保持手段１２に吸着保持された接着シートＳの位置ずれを検知するようにしてもよい。例えば、被着体検知手段１６もシート検知手段１５と同様に接着シートＳの存在の有無を検知可能に設け、被着体検知手段１６が接着シートＳを検知した場合や、回動モータＭの作動時間が所定時間を越えてもシート検知手段１５が接着シートＳを検知しない場合、接着シートＳが歪んで支持されたこととなるので、押圧手段１３を作動停止させたり、警報やライトを作動させてオペレータに異常を知らせたりするように制御してもよく、この場合、シート検知手段１５や被着体検知手段１６がシート保持不良検知手段として機能する。また、シート検知手段１５及び被着体検知手段１６とは別に、シート保持不良検知手段を構成するセンサ等を吸引口３１に装着可能に設け、当該シート保持不良検知手段により接着シートＳの位置ずれを検知してもよい。
【００３５】
更に、接着シートＳの形状は、四角形の他、三角形、五角形等の多角形、円形、楕円形、長円形、その他幾何学的な形状としてもよく、これに応じて、各検知手段１５、１６の設置位置を変更することで対応することができる。
【００３６】
また、前記押圧手段１３は、接着シートＳを被着体Ｗに押圧して貼付できる限りにおいて変更してもよい。例えば、押圧手段１３をエアシリンダ３５により構成し、当該エアシリンダ３５によるヘッド部２９の下降動作によって接着シートＳを被着体Ｗに押圧して貼付してもよい。この場合、加圧管３６及びこれに接続される加圧ポンプ（図示省略）は省略可能となる。
【００３７】
更に、繰出手段１１から吸着面２９Ｄに接着シートＳが繰り出される繰出位置から、接着シートＳを吹き飛ばして被着体Ｗへの貼付を行える場合、押圧手段１３においてエアシリンダ３５を省略してもよい。
【００３８】
また、繰出手段１１は、前述のように繰り出しを行える限りにおいて、種々の設計変更が可能である。
更に、シート検知手段１５、被着体検知手段１６及び図示しない距離検知手段を構成するセンサは、光センサ、超音波センサ、圧力センサ、接触型センサ等検知対象物を検知可能なものであれば足りる。
また、シート検知手段１５及び被着体検知手段１６の数は、１個ずつでもよいし３個以上でもよいし、シート検知手段１５の数と被着体検知手段１６の数とが異なっていてもよい。
【００３９】
更に、前記実施形態における駆動機器は、回動モータ、直動モータ、リニアモータ、単軸ロボット、多関節ロボット等の電動機器、エアシリンダ、油圧シリンダ、ロッドレスシリンダ及びロータリシリンダ等のアクチュエータ等を採用することができる上、それらを直接的又は間接的に組み合せたものを採用することもできる（実施形態で例示したものと重複するものもある）。
【００４０】
また、前記被着体停止工程を行うタイミングは、吸着保持工程或いは押圧工程を行う直前に代えてもよい。
【符号の説明】
【００４１】
１０  シート貼付装置
１１  繰出手段
１２  保持手段
１３  押圧手段
１５  シート検知手段
１６  被着体検知手段
１８  支持手段
３１  吸引口
ＡＤ  接着剤層
ＢＳ  基材シート
Ｓ  接着シート
Ｗ  被着体
【図１】
2013001436.tif 000003
【図２】
2013001436.tif 000004
【図３】
2013001436.tif 000005
【図４】
2013001436.tif 000006